(57)【要約】【課題】  簡単な構成でかつ幼児が容易に楽しめるぬいぐるみおもちゃを提供する。【解決手段】  ぬいぐるみおもちゃ１０は、折り曲げ線１３によって連結された、第１部材１１と第２部材１２とを含み、第１部材１１と第２部材１２とは、それぞれが対面する閉状態と、それぞれが面状に延在する開状態とをとり、閉状態では、第１部材１１と第２部材１２の表面に施されたデザインと、第１部材１１と第２部材１２との形状によって立体的なネズミの形状を表し、第１部材１１と第２部材１２との裏面側には、このデザインと異なる、別のデザインが施されている。【選択図】      図３
2006102112.tif 000002
【特許請求の範囲】
【請求項１】
折り曲げ線によって連結された、第１部材と第２部材とを含み、
前記第１部材と第２部材とは、それぞれが対面する閉状態と、それぞれが面状に延在する開状態とをとり、
前記閉状態では、前記第１部材と第２部材の表面に施された第１デザインと、前記第１部材と第２部材との形状によって立体的な具体的形象物を表し、
前記開状態では、前記第１部材と第２部材との裏面には、前記第１デザインと異なる、第２デザインが施されている、ぬいぐるみおもちゃ。
【請求項２】
前記第１部材と第２部材との間において前記折り曲げ線に連結された、第３部材をさらに含み、
前記第１部材の裏面と前記第３部材の一方面には、前記第１デザインと異なる第３デザインが施され、
前記第３部材の他方面と前記第２部材の裏面には、前記第１デザインおよび前記第３デザインと異なる第４デザインが施されている、請求項１に記載のぬいぐるみおもちゃ。
【請求項３】
前記折り曲げ線に接続され、外部に設けられた部材に係合するための係合部分をさらに含む、請求項１または２に記載のぬいぐるみおもちゃ。
【請求項４】
前記第１デザインと前記第２デザイン、または、前記第１デザインと前記第３および第４デザインとは、所定の関連性を有する、請求項２に記載のぬいぐるみおもちゃ。
【請求項５】
前記第１デザインは、動物の親の形状であり、前記第２、第３または第４デザインは、前記動物の子供の形状を含む、請求項４に記載のぬいぐるみおもちゃ。
【請求項６】
外面に腹部を有する第１のデザインと所定の形状とを有する動物のぬいぐるみおもちゃであって、
前記腹部は展開可能であり、
前記展開可能な腹部には、前記第１デザインと異なる第２デザインが施されている、動物のぬいぐるみおもちゃ。
【発明の詳細な説明】
【技術分野】
【０００１】
この発明はぬいぐるみおもちゃに関し、特に、幼児が容易に楽しめるぬいぐるみおもちゃに関する。
【背景技術】
【０００２】
従来のぬいぐるみおもちゃが、たとえば、特開２００１−９１６８号公報（特許文献１）に開示されている。
【０００３】
同公報によれば、表裏を反転可能とすることにより、変身可能なぬいぐるみおもちゃが開示されている。
【特許文献１】特開２００１−９１６８号公報（段落番号０００４）
【発明の開示】
【発明が解決しようとする課題】
【０００４】
上記特許文献１に記載されたぬいぐるみおもちゃでは、ぬいぐるみが一つの形象を表現しているとき、他の形象はぬいぐるみの内部に収納されるため、１体のぬいぐるみで複数の変身が可能である。
しかしながら、この構成では、ぬいぐるみを反転する必要があるため、その手間がかかり、幼児は容易にぬいぐるみで楽しめないという問題があった。
【０００５】
この発明は上記のような問題点を解消するためになされたもので、簡単な構成でかつ幼児が容易に楽しめるぬいぐるみおもちゃを提供することを目的とする。
【課題を解決するための手段】
【０００６】
この発明にかかる、ぬいぐるみおもちゃは、折り曲げ線によって連結された、第１部材と第２部材とを含み、第１部材と第２部材とは、それぞれが対面する閉状態と、それぞれが面状に延在する開状態とをとり、閉状態では、第１部材と第２部材の表面に施された第１デザインと、第１部材と第２部材との形状によって立体的な具体的形象物を表し、第１部材と第２部材との裏面側には、第１デザインと異なる、第２デザインが施されている。
【０００７】
ぬいぐるみおもちゃの閉状態では、第１デザインとその形状とによって立体的な具体的形象物が表され、開状態では、第１デザインと異なる、第２デザインが表されるため、幼児は、おもちゃを開閉するだけで、楽しめる。
【０００８】
その結果、簡単な構成でかつ幼児が容易に楽しめるぬいぐるみおもちゃを提供できる。
【０００９】
好ましくは、第１部材と第２部材との間において折り曲げ線に連結された、第３部材をさらに含み、第１部材の裏面と前記第３部材の一方面には、第１デザインと異なる第３デザインが施され、第３部材の他方面と第２部材の裏面には、第１デザインおよび第３デザインと異なる第４デザインが施されている。
【００１０】
さらに好ましくは、折り曲げ線に接続され、外部に設けられた部材に係合するための係合部分をさらに含む。
【００１１】
さらに好ましくは、第１デザインと第２デザイン、または、第１デザインと第３および第４デザインとは、所定の関連性を有する。
【００１２】
さらに好ましくは、第１デザインは、動物の親の形状であり、第２、第３または第４デザインは、動物の子供の形状を含む。
【００１３】
この発明の他の曲面においては、外面に腹部を有する第１のデザインと所定の形状とを有する動物のぬいぐるみおもちゃは、腹部は展開可能であり、展開可能な腹部には、第１デザインと異なる第２デザインが施されている。
【発明を実施するための最良の形態】
【００１４】
以下、この発明の一実施の形態を図面を参照して説明する。図１はこの発明の一実施形態における、ぬいぐるみおもちゃ１０の側面図であり、図２は図１において、ＩＩで示す部分の矢視図であり、図３は、図１に示したぬいぐるみおもちゃ１０を展開したときの展開図である。
【００１５】
図１から図３を参照して、ぬいぐるみおもちゃ１０は、ほぼ半円形状の布で構成された第１部材１１および第２部材１２とが折り曲げ線１３で連結された形状である。布は、柔らかく、ある厚さを有する。第１部材１１と第２部材１２とは、それぞれが対面する閉状態（図１および図２、図２においては、第１部材１１と第２部材１２との間に第３部材１９が挟まれた状態で対面している）と、それぞれが面状に延在する開状態（図３）とをとりうる。ぬいぐるみおもちゃ１０は、第１部材１１と第２部材１２の表面に施された、鼻２１、耳２２ａ、２２ｂ、先端に子ネズミ１４が取付けられたしっぽ２３のような外観のデザインにより、側面から見ると、立体的な、ネズミの形状をしている。
【００１６】
ここでは、ぬいぐるみおもちゃ１０は、上記したように、第１部材１１および第２部材１２の形状と、その表面に施されたデザインとで、立体的な具体的形象物として、ネズミの形態を表しているが、これに限らず、任意の形態を取りうる。
【００１７】
第１部材１１および第２部材１２には、折り曲げ線１３に対して対称の位置にポケット１５ａ、１５ｂが設けられ、図３に示すように、子ネズミ１４はその中に収納可能である。
【００１８】
折り曲げ線１３の両端部には、後に説明するように、たとえば乳母車のような外部部材にこのぬいぐるみおもちゃ１０を取付けるための係合部分１７，１８が設けられている。それぞれの係合部分１７，１８は、それぞれ面ファスナ１７ａ、１７ｂおよび１８ａ、１８ｂを有し、面ファスナ１７ａと１７ｂおよび１８ａと１８ｂとを接続して、ぬいぐるみおもちゃ１０を乳母車のフレームに取付ける。この使用態様については後述する。
【００１９】
第１部材１１および第２部材１２の凸部（ネズミの腹部）には、第１部材１１および第２部材１２とを接続するための接続部１６ａ、１６ｂが設けられている。接続部１６ａ，１６ｂは、相互に着脱が可能な面ファスナで構成されている。
【００２０】
また、図２に示すように、第１部材１１と第２部材１２との間には、折り曲げ線１３に接続された第３部材１９が設けられている。
【００２１】
図４は、図２において、矢印ＩＶで示す部分を展開した状態を示す図である。矢印ＩＶで示す部分を展開した状態では、第１部材１１の裏面と、第３部材１９の一方面には、図４に示すデザインが施されている。ここでは、理解の容易のために、第１部材１１の裏面と、第３部材１９の一方面とを区別するために、折り曲げ線１３を点線で示している。
【００２２】
図４を参照して、このデザインでは、風船２６ａ〜２６ｃ、雲２７ａ〜２７ｃがアップリケで第１部材１１および第３部材１９に取付けられている。花２８は紐２８ａを介して風船２６ａに対して移動自在に取付けられ、熊の赤ちゃん２９は紐２９ａを介して風船２６ｃに対して移動自在に取付けられている。またポケット３０が設けられ、風船２６ｂは、ポケット３０の中で取付けられた紐２６ｄに接続されている。花２８と熊の赤ちゃん２９とは、ポケット３０の中へ収納可能であり、図４では、熊の赤ちゃん２９をポケット３０の中に収納している。なお、風船２６ａには、「♪」マークを付しているが、これは。この部分を押すと所定のメロディが流れるようになっている。
【００２３】
図５は、図４と同じく、矢印ＩＶで示す部分を展開した状態を示す図である。上記したように、花２８や熊の赤ちゃん２９が紐２８ａ，２９ａで接続されているため、同じ部分を展開しても、異なる外観が得られる。
【００２４】
図６および図７は、図２において、ＶＩで示す部分を展開した状態を示す図である。矢印ＶＩで示す部分を展開した状態では、第３部材１９の他方面と、第２部材１２の裏面には、図６または図７に示すデザインが施されている。ここでは、理解の容易のために、第３部材１９の他方面と、第２部材１２の裏面とを区別するために、折り曲げ線１３を点線で示している。
【００２５】
図６および図７を参照して、ここに示すデザインにおいては、皿４１の上にチーズ３６が設けられ、その左右にナイフ３７とフォーク３８とが並べられている。これらもアップリケで構成されている。チーズ３６には、その中央部に穴４０が開いており、そこに紐３９ａで接続された子ネズミ３９が出入り可能に設けられている。図６は、子ネズミ３９が穴４０の内部に収容されている状態を示す図であり、図７は、子ネズミ３９が穴４０から取出された状態を示す図である。ここでは、ナイフ３７やフォーク３８は、それぞれの面に固定されているが、子ネズミ３９のように、紐を介して接続することにより、移動可能としてもよい。
【００２６】
次に幼児がこのぬいぐるみおもちゃ１０を使って遊ぶ状態について説明する。まず、幼児は、図１、図２に示すように、接続部１６で第１部材１１と第２部材１２とが接続され、ネズミの立体形状を有する状態で遊ぶことができる。このとき幼児は、鼻２１、耳２２、しっぽ２３、およびしっぽ２３に接続された子ネズミ１４をさわったり、引張ったり、子ネズミ１４を左右のポケット１５ａ、１５ｂに入れたり出したりして楽しむ。
【００２７】
それに飽きてくると、幼児は、接続部１６の接続を離して、第１部材１１と第２部材１２とを展開した状態、すなわち、図３〜図５に示す状態で遊ぶ。この場合、幼児は、図３に示す状態から第１部材１１を１枚折返すだけで、図４または図５に示すデザインで表される、全く異なる世界へ飛び込むことができる。そこでは、上記したように、花２８や熊の赤ちゃん２９をポケット３０に出し入れして遊ぶことができるし、また、「♪」マークを押して遊ぶこともできる。
【００２８】
また、たとえば、熊の赤ちゃん２９には、内部に鈴等を入れ、花２８には、押すと所定の音が出るような仕組みを設けておけば、幼児は、より興味を示す。
【００２９】
これに飽きても、幼児はさらに、第３部材１９を１枚折返すだけで、図６または図７に示すデザインで表される、さらに異なる世界へ飛び込むことができる。ここでは、上記したように、ネズミの子供をチーズ３６の穴４０の中へ入れたり出したりして遊ぶことができる。
【００３０】
このように、この実施の形態に係るぬいぐるみおもちゃ１０においては、全体がネズミの立体形状を有しているぬいぐるみの腹部を展開すれば、全く異なる外観を有するデザインが得られるため、幼児は好奇心を刺激されながら夢中になって遊ぶようになる。
【００３１】
次に、この発明のさらに他の実施の形態について説明する。この実施の形態においては、このぬいぐるみおもちゃ１０を乳母車のような育児用器具のフレームに取付けて使用する。
【００３２】
図８は、この場合のぬいぐるみおもちゃ１０の使用状態を示す図である。図８を参照して、ぬいぐるみおもちゃ１０は、乳母車５０の手摺部材５１に取付けて使用される。このぬいぐるみおもちゃ１０の手摺部材５１への取り付けは、上記した、係合部分１７，１８を手摺部材５１に巻き付けて、面ファスナ１７ａと１７ｂおよび１８ａと１８ｂとを接続して取付ける。
【００３３】
こうすれば、幼児は、乳母車５０等に座りながら、ぬいぐるみおもちゃ１０を用いて楽しく遊ぶことができる。
【００３４】
なお、上記実施の形態においては、ぬいぐるみおもちゃは、外観が全体として、ネズミの形状をしており、その内部に、複数の異なるデザインの面を内蔵した例について説明したが、これに限らず、異なるデザインの面は、１面でもよいし、３面以上であってもよい。
【００３５】
また、上記実施の形態においては、外観は親ネズミであって、その内部に、子ネズミを配置し、ぬいぐるみおもちゃの外部と内部とで、親子をモチーフとしたデザインを有する場合について説明したが、これに限らず、外部と内部とで、何らかのストーリ性を持たせるようにしてもよい。
【００３６】
また、上記実施の形態においては、ぬいぐるみおもちゃの外観の具体的形象物として、ネズミのような、動物を例にあげて説明したが、これに限らず、人形や、家や、乗物等を具体的形象物としてもよい。
【００３７】
また、上記実施の形態においては、接続部１６で第１部材と第２部材とを端部で接続する場合について説明したが、これに限らず、両者を接続しなくてもよい。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３９】
【図１】この発明の一実施形態におけるぬいぐるみおもちゃの側面図である。
【図２】図１においてＩＩで示す部分の矢視図である。
【図３】ぬいぐるみおもちゃの展開図である。
【図４】図２において、ＩＶで示す部分で展開した状態を示す展開図である。
【図５】図２において、ＩＶで示す部分で展開した状態を示す展開図である。
【図６】図２において、ＶＩで示す部分で展開した状態を示す展開図である。
【図７】図２において、ＶＩで示す部分で展開した状態を示す展開図である。
【図８】ぬいぐるみおもちゃの使用状態を示す図である。
【符号の説明】
【００４０】
１０  ぬいぐるみおもちゃ、１１  第１部材、１２  第２部材、１３  折り曲げ線、１４  子ネズミ、１５  ポケット、１６  接続部、１７、１８  係合部分、１９  第３部材。
【図１】
2006102112.tif 000003
【図２】
2006102112.tif 000004
【図３】
2006102112.tif 000005
【図４】
2006102112.tif 000006
【図５】
2006102112.tif 000007
【図６】
2006102112.tif 000008
【図７】
2006102112.tif 000009
【図８】
2006102112.tif 000010